(57)【要約】【課題】簡単な構造でスライドファスナーの開閉操作が容易であり、確実にスライドファスナーの閉め忘れを防止する連結スライドファスナーを提供する。【解決手段】スライドファスナー１６に取り付けられたスライダ２０と、スライダ２０に連結されたチェーン２２と、チェーン２２が取り付けられスライダ２０の移動に伴って移動するベルト３２とを備える。ベルト３２に着脱自在に取り付けられ、ベルト３２の一部を着脱自在に分離して移動可能とする係止具６１が設けられている。【選択図】      図２
2004154168.tif 000002
【特許請求の範囲】
【請求項１】
スライドファスナーに取り付けられたスライダと、上記スライダに連結された連結部材と、上記連結部材に取り付けられ上記スライダの移動に伴って移動する周辺部材と、上記周辺部材に取り付けられ上記周辺部材の一部を着脱自在に分離して移動可能とする分離手段が設けられていることを特徴とする連結スライドファスナー。
【請求項２】
上記周辺部材はウエスト用のベルトであり、上記ベルトは、帯状の本体と、上記本体の一方の端部の内側に切断部が設けられ上記切断部の端部に取り付けられた上記切断部の分離と連結を行う分離手段と、上記本体の上記分離手段よりも先端の端部に取り付けられたバックルと、上記バックルに連結され上記スライドファスナーのスライダを取り付ける上記連結部材が設けられていることを特徴とする請求項１記載の連結スライドファスナー。
【請求項３】
上記周辺部材はウエスト用のベルトのバックルであり、上記ベルトのバックルの一部が着脱自在に設けられ、この着脱する部材に上記スライダを連結する上記連結部材が設けられていることを特徴とする請求項１記載の連結スライドファスナー。
【請求項４】
上記周辺部材には、摩擦が少なく耐久性を有するシート状の滑り材が設けられていることを特徴とする請求項１記載の連結スライドファスナー。
【請求項５】
上記周辺部材は鞄の持ち手であることを特徴とする請求項１記載のスライドファスナー。
【発明の詳細な説明】
【０００１】
【発明の属する技術分野】
この発明は、ズボン、スカート等の衣類や鞄の開閉部分に使用する連結スライドファスナーに関する。
【０００２】
【従来の技術】
例えば、ズボンの前中心は、カギホック、ボタン、スライドファスナー等が設けられ、開閉可能になっている。例えばトイレでスライドファスナーを開いて用を足した後、カギホック、ボタン等を掛け、次にスライドファスナーのスライダを引き上げるといった動作をするが、その際に、カギホック、ボタン等を掛けてしまえば、ズボンは落下することが無いので、スライドファスナーを締め忘れることがあり、外観上好ましくないものであった。
【０００３】
【発明が解決しようとする課題】
従来、多くのファスナー閉め忘れ防止関連の発明や考案が出ているが、スライドファスナーとカギホックとの関係が多く、また構造が複雑で、時間や動作の無駄や無理が生じ、むしろ不便を感じるものである。
【０００４】
この発明は、簡単な構造でスライドファスナーの開閉操作が容易であり、確実にスライドファスナーの閉め忘れを防止する連結スライドファスナーを提供することを目的とする。
【０００５】
【課題を解決するための手段】
この発明は、スライドファスナーに取り付けられたスライダと、上記スライダに連結された連結部材と、上記連結部材に取り付けられ上記スライダの移動に伴って移動する周辺部材と、上記周辺部材に取り付けられ上記周辺部材の一部を着脱自在に分離して移動可能とする分離手段が設けられている連結スライドファスナーである。
【０００６】
また、上記周辺部材はウエスト用のベルトであり、上記ベルトは、帯状の本体と、上記本体の一方の端部の内側に切断部が設けられ上記切断部の端部に取り付けられた上記切断部の分離と連結を行う分離手段と、上記本体の上記分離手段よりも先端の端部に取り付けられたバックルと、上記バックルに連結され上記スライドファスナーのスライダを取り付ける上記連結部材が設けられている。
【０００７】
また、上記周辺部材はウエスト用のベルトのバックルであり、上記ベルトのバックルの一部が着脱自在に設けられ、この着脱する部材に上記スライダを連結する上記連結部材が設けられている。
【０００８】
また、上記周辺部材には、摩擦が少なく耐久性を有するシート状の滑り材が設けられている。
【０００９】
また、上記周辺部材は鞄の持ち手である。
【００１０】
この発明の連結スライドファスナーは、スライダを移動させてスライドファスナーを開けるとき、スライダに連結されている周辺部材も移動または変形する。周辺部材は、スライドを戻さない限りもとの形に復元しないため、スライダの戻し忘れに確実に気付き、スライドファスナーの閉め忘れを防ぐ。
【００１１】
【発明の実施の形態】
以下、この発明の実施形態について図面に基づいて説明する。図１〜図３は、この発明の第一実施形態を示すものであり、この実施形態の連結スライドファスナー１０は、ズボン１２の前中心に取り付けられている。ズボン１２の前中心には分割線１４が設けられ、分割線１４を開閉するスライドファスナー１６が設けられている。分割線１４の互いに対向する側縁部１４ａ，１４ｂに、スライドファスナー１６のファスナーテープ１６ａ，１６ｂが各々縫い付けられ、一対のファスナーテープ１６ａ，１６ｂには互いに係合と解除をするエレメント１８が設けられている。エレメント１８には、エレメント１８の係合と解除を行うスライダ２０が摺動可能に設けられている。スライダ２０には、後述するベルト３２のバックル３６に連結される連結部材であるチェーン２２が取り付けられている。
【００１２】
ズボン１２のウエスト部分には、帯状のウエストベルト部２４がウエストを一周して設けられている。ベルト部２４は、ズボン１２の分割線１４で分割され、一方の端部２４ａにはボタンホール２６が設けられ、他方の端部２４ｂにはボタン２８が設けられている。ウエストベルト部２４の外側には、ウエスト周りに複数箇所に、例えば後中心に１個と後両側と前両側の計五箇所にベルト通し３０が設けられている。
【００１３】
ウエストベルト部２４には、ベルト通し３０に挿通されて、ウエスト用のベルト３２が取り付けられている。ベルト３２は、革や合成樹脂の平帯状の第一本体３４が設けられ、第一本体３４の一方の端部３４ａは、第一本体３４の長手方向に対してほぼ直角な切断面が露出している。第一本体３４の他方の端部３４ｂはベルト通し３０に挿通しやすいように、先細に形成されている。第一本体３４の、端部３４ｂのやや内側付近には、後述するバックル３８の係止ピン４０が挿通される透孔３６が複数個、第一本体３４の長手方法に沿って設けられている。第一本体３４の、端部３４ｂのやや内側の縁部には、第一本体３４を着用状態で下側になる方に、シート状の滑り材３５が縁部を挟むように覆って取り付けられている。滑り材３５は、表面が滑らかで摩擦が少なく耐久性が高い素材、例えばフッ素樹脂とガラスクロスの混合したもの等で作られている。
【００１４】
ベルト３２には、第一本体３４の端部３６ｂの透孔３６に係止されるバックル３８が設けられている。バックル３８は、金属製等の四角の環状に形成され、一つの辺は取付部３８ａとなり、後述の第二本体５６が取り付けられている。取付部３８ａのほぼ中心には、取付部３８ａに対してほぼ直角に位置する係止ピン４０が取り付けられている。係止ピン４０の基端部は、取付部３８ａに巻き回されて取り付けられ、取付部３８ａの軸回りに回転可能である。係止ピン４０の先端は、取付部３８ａに対して平行な辺である先端部３８ｂに外側から交差し、先端部３８ｂよりわずかに側方に突出している。取付部３８ａと先端部３８ｂに対して平行な一対の辺である側縁部３８ｃ，３８ｄには、バックル３８の裏面で、互いに対向する位置に、複数対、例えば三対のネジ穴４２が設けられている。そのうちの一対のネジ穴４２には、側縁部３８ｃ，３８ｄを連結する細長い板状の取付部材４４が取り付けられている。取付部材４４の両端部付近には、ねじ穴４２に一致する透孔が形成され、透孔とねじ穴４２を一致させたところにネジ４８が差し込まれ螺合して固定されている。取付部材４４の裏面には、係合部材５２が設けられている。係合部材５２は、金属板で作られ両端部を互いに近づくほうへ折り曲げて環状に形成され、ピン５４で係合部材５２に軸止されている。係合部材５２は、スライドファスナー１６のスライダ２０に取り付けられたチェーン２２の一端が連結されている。
【００１５】
バックル３８の取付部３８ａには、第一本体３４と同じ素材で作られ同じ幅で短い第二本体５６が設けられている。第二本体５６の端部は、取付部３８ａに巻き回されて接着や縫合により取りつけられ、係止ピン４０の基端部が当接する部分に透孔５８が形成されて係止ピン４０の動きに支障をきたさないようになっている。第二本体５６のバックル３８近傍には、平帯状の第一本体通し部６０が、第二本体５６を一周して取り付けられている。
【００１６】
第二本体５６の、バックル３８と反対側の端部には、第一本体３４の端部３４ａに着脱する分離手段である係止具６１が取り付けられている。係止具６１は例えばサルカン等であり、第一本体３４を挟む一対の挟持板６２が設けられ、一方の挟持板６２の内側面には他方の挟持板６２に向かって突出する図示しない係合突起が形成されている。このため一対の挟持板６２を閉じたときに、係合突起が押し付けられて第一本体３４を確実に保持する。
【００１７】
このように、第二本体５６は係止具６１を介して第一本体３４に連結される。そして第二本体３４のバックル３８に第一本体３４の端部３４ｂを係合させることで環状になる。第一本体３４をバックル３８に取り付けるには、第一本体３４の端部３４ｂをバックル３８の先端部３８ｂの裏側からバックル３８内側に差し込み、任意の位置の透孔３６に係止ピン４０を差し込む。そして第一本体３４の端部３４をバックル３８の表側に引き出し、次に第一本体通し部６０に挿通し、第二本体５６の外側に重ねられる。
【００１８】
次に、この実施形態の連結スライドファスナー１０の使用方法について説明する。着用時は、図１に示すように、係止具６１で第一本体３４と第二本体５６を連結し、ズボン１２のベルト通し３０に挿通し、バックル３８に第一本体３４の端部３４ｂを係合してベルト３２を環状とし、ズボン１２のベルト部２４に取りつける。
【００１９】
トイレでは、係止具６１を解除して第一本体３４の端部３４ａを分離させ、スライドファスナー１６が下方にスライド可能とする。次にスライドファスナー１６のスライダ２０をエレメント１８にそって下方に移動させ、ズボン１２の分割線１４を開く。このとき、図２に示すようにスライダ２０の移動に伴ってチェーン２２を介して連結されているバックル３８とバックル３８に連結されている第一本体３４の端部３４ｂは、スライダ２０と共に下方に移動する。第一本体３４はベルト通し３０内を摺動して引き出され、このとき第一本体３４に取り付けられた滑り材３５がベルト通し３０に当接しながら円滑に移動する。用を足した後、スライダ２０を上げ、ベルト３２の第一本体３４を元の位置に摺動させ、係止具６１に第一本体３４の端部３４ａ係止させる。
【００２０】
この実施形態の連結スライドファスナー１０によれば、スライドファスナー１６のスライダ２０とベルト３２のバックル３８が連結され、スライダ２０がスライドファスナー１６が開いている位置にあるときはベルト３２を環状にすることができないため、スライダの戻し忘れに確実に気がつく。そしてスライドファスナー１６の閉め忘れを確実に防ぐことができる。スライダ２０とバックル３８を連結するチェーン２２は、バックル３８の裏側に設けられているため、外から見えず違和感がなく、外観がすっきりとしたものとなる。バックル３８の、チェーン２２を取りつける係合部材５２は、弾性変形させて容易にチェーン２２を着脱することができるため、着替えなど不要なときはチェーン２２を簡単に外して連結を解除しすることとができる。係止具６１はサルカン等であり、簡単な操作で第一本体３４に着脱されるため、操作が簡単であり、片手でも係合解除することができ便利である。バックル３８から第一本体３４を外す手間が省略され、簡単となる。ベルト３２の第一本体３４には滑り材３５が設けられているため、円滑にベルト通し３０の内側を移動し、スライダ２０の動きに追従する。またバックル３６は、スライドファスナー１６に連結されているため常にズボン１２の中心に位置し、ずれることが無い。そしてスライダ２０が自然に下がることも防ぐことができる。
【００２１】
なお、この実施形態の連結スライドファスナー１０は、上記実施の形態に限定されるものではなく、バックル３８の一部が着脱自在に設けられ、着脱する部材にスライダ２０が連結されているものでも良い。例えば図４に示す連結スライドファスナー６５は、バックル３８の側縁部３８ｃ，３８ｄの間に着脱自在に係止される長細い補助板６６が設けられ、補助板６６の中心には、バックル３８の先端部３８ｂに向かう係止ピン４０が一体に設けられている。そして補助板６６には、チェーン２２を介してスライダ２０が取り付けられている。この連結スライドファスナー６５によれば、スライダ２０を下ろすときは補助板６６と係止ピン４０をバックル３８から外さなければならず、係止ピン４０が無いとバックル３８の役割を果たすことができず必ずスライダ２０を閉めることとなり、閉め忘れを確実に防ぐことができる。
【００２２】
また、図５に示す連結スライドファスナー６８のようにバックル３８の先端部７０が着脱自在であるものでもよい。先端部７０には、チェーン２２を介してスライダ２０が取り付けられている。この連結スライドファスナー６８によれば、上記変形例と同様に、先端部７０が無いとバックル３８の役割を果たすことができず必ずスライダ２０を閉めることとなり、閉め忘れを確実に防ぐことができる。
【００２３】
次にこの発明の第二実施形態について図６に基づいて説明する。ここで、上記実施形態と同様の部材は同様の符号を付して説明を省略する。この実施形態の連結スライドファスナー７２は、鞄７４の開口部に設けられている。鞄７４の開口部は直線である分割線で形成され、分割線の周縁部に、スライドファスナー７６が設けられている。スライドファスナー７６には一対のスライダ７８が取り付けられている。一対のスライダ７８の取り付け方向は、互いに対向する端部がエレメントを開く構造となる。各スライダ７８には所定長さのチェーン８０が各々連結され、チェーン８０の先端は、鞄７４に設けられた一対の持ち手８２に連続されている。持ち手８２は、耐久性と、適度な柔軟性を有する素材で作られ、スライドファスナー７６の両側に位置して取り付けられている。
【００２４】
次に連結スライドファスナー７２の使用方法について説明する。鞄７４を閉めるときは、スライドファスナー７６の一対のスライダ７８を持ち手８２の近傍で隣接させて位置させる。スライダ７８は互いに近づくほうへ移動するときに、ファスナーエレメントを閉じるように設定しているためスライダ７８が隣接するときは、エレメントはほぼ閉じた状態となっている。このとき、持ち手８２とスライダ７８の距離が近いためチェーン８０にゆとりが生じ、持ち手８２は変形することなく持ち運びに使用することができる。鞄７４の内容物を出すときは、少なくとも一方のスライダ７８をスライドファスナー７６の端部側に移動させる。このときチェーン８０がスライダ７８に引かれ、持ち手８２が変形し、持ち運びできない形状となる。使用後は再びスライダ７８を持ち手８２近傍に移動させ、スライドファスナー７６を閉鎖する。このとき持ち手８２の変形は元に戻る。
【００２５】
この実施形態の連結スライドファスナー７２によれば、スライダ７８と持ち手８２が連結され、スライダ７８がスライドファスナー７６が開いている位置にあるときは、持ち手８２が変形して持ち運ぶことができないため、スライダ７８の戻し忘れに容易に気がつく。そしてスライドファスナー７６の閉め忘れを確実に防ぐことができる。
【００２６】
なお、この発明の連結スライドファスナーは、上記各実施形態に限定されるものではなく、各部材の形状や素材は自由に変更可能である。周辺部材はベルトや持ち手に限定されず、確実にスライダに連結され移動や変形が可能なものであれば良い。連結部材はチェーン以外でも良く、スライドファスナーの摘みでも良く、連結部材が連結される係合部材の形状も自由に変更可能であり衣服の交換時などでは容易に外すことができしかも使用中は離れないものであればよい。また、ズボンや鞄以外に帽子や上着等、のいろいろなものに利用することができる。
【００２７】
【発明の効果】
この発明の連結スライドファスナーは、簡単な構造で、操作性が良好であり、スライドファスナーの閉め忘れを確実に防ぐことができる。外観は違和感がなくすっきりしたものである。
【図面の簡単な説明】
【図１】この発明の第一実施形態の連結スライドファスナーの斜視図である。
【図２】この実施形態の連結スライドファスナーの開放した状態を示す斜視図である。
【図３】この実施形態の連結スライドファスナーのバックルの背面を示す斜視図である。
【図４】この実施形態の連結スライドファスナーの変形例を示す正面図である。
【図５】この実施形態の連結スライドファスナーの変形例を示す正面図である。
【図６】この発明の第二実施形態の連結スライドファスナーの斜視図である。
【符号の説明】
１０  連結スライドファスナー
１２  ズボン
１４  分割線
１６  スライドファスナー
１８  エレメント
２０  スライダ
２２  チェーン
２４  ベルト部
２６  ボタンホール
２８  ボタン
３０  ベルト通し
３２  ベルト
３４  第一本体
３５  滑り材
３６  透孔
３８  バックル
４０  係止ピン
４２  ネジ穴
４４  取付部材
４８  ネジ
５２  係合部材
５４  ピン
５６  第二本体
６１  係止具
６２  挟持板
【図１】
2004154168.tif 000003
【図２】
2004154168.tif 000004
【図３】
2004154168.tif 000005
【図４】
2004154168.tif 000006
【図５】
2004154168.tif 000007
【図６】
2004154168.tif 000008